(57)【要約】      （修正有）【課題】部品点数を削減しつつ長時間の運転時においても安定して冷却ポンプを支持することが可能な冷却ポンプの支持構造を提供する。【解決手段】走行用のモータ１と、モータ１に接続されると共に緩衝部材３を介して車両構造体４，５に支持されたトランスアクスル２と、振動を伴って作動する補機７と、モータ１を取り付ける第１の取付部と補機７を取り付ける第２の取付部とを具備すると共に緩衝部材３を介して車両構造体５に支持されたブラケット６とを有する補機取付構造。【選択図】図１
2015182658.tif 000002
【特許請求の範囲】
【請求項１】
走行用のモータと、
前記モータに接続されると共に緩衝部材を介して車両構造体に支持されたトランスアクスルと、
振動を伴って作動する補機と、
前記モータを取り付ける第１の取付部と、前記補機を取り付ける第２の取付部とを具備すると共に緩衝部材を介して前記車両構造体に支持されたブラケットとを有することを特徴とする補機取付構造。
【請求項２】
請求項１記載の補機取付構造において、
前記補機と前記モータとは、前記ブラケットを介して離間して配置されることを特徴とする補機取付構造。
【請求項３】
請求項１または２記載の補機取付構造において、
前記ブラケットは前記車両構造体に支持される支持部と第１の取付部と第２の取付部とが互いに直交する板部材により構成されることを特徴とする補機取付構造。
【請求項４】
請求項３記載の補機取付構造において、
前記補機は前記各板部材に囲まれて配置されることを特徴とする補機取付構造。
【請求項５】
請求項１から４までの何れか１項に記載の補機取付構造において、
前記モータは前記補機と前記トランスアクスルとの間に配置されていることを特徴とする補機取付構造。
【請求項６】
請求項１から５までの何れか１項に記載の補機取付構造において、
前記車両構造体はサイドメンバに弾性支持されたモータマウントであることを特徴とする補機取付構造。
【請求項７】
請求項１から６までの何れか１項に記載の補機取付構造において、
前記補機は前記モータを冷却する冷媒を循環させる冷却ポンプであることを特徴とする補機取付構造。
【発明の詳細な説明】
【技術分野】
【０００１】
本発明はモータマウント等の車両構造体に取り付けられる冷却ポンプやバキュームポンプ等の補機取付構造に関する。
【背景技術】
【０００２】
自動車のエンジンは、エンジンルームを構成するサイドメンバやクロスメンバ等の剛性部材にエンジンマウントを介して支持されている。そして、電気自動車では主駆動モータの重量がエンジンに比較すると１／２程度であるため、トランスアクスル側に重量が偏ることから主駆動モータの位置を車幅方向中央からオフセットする必要が生じると共に、コンプレッサや冷却ポンプ類は別のモータによって駆動させる必要がある。そこで、主駆動モータと他のモータとを同一ケース内に配置することにより、通常のエンジンに比して軽量な主駆動モータの重量を他のモータによって補完でき、主駆動モータを単独で配置した場合に比して車幅方向中央寄りに配置できるので、左右の重量バランスの偏りを少なくする構成が、例えば「特許文献１」に開示されている。
【先行技術文献】
【特許文献】
【０００３】
【特許文献１】特開平７−８１４２９号公報
【発明の概要】
【発明が解決しようとする課題】
【０００４】
しかし上述の構成では、作動時に振動する補機である冷却ポンプが他のモータに片持ち状態で支持されているため、ポンプの支持状態が不安定であり長時間の運転時において不具合が生じる虞がある。また、従来はモータとポンプとの間にポンプの振動を緩和させるためのゴムブッシュを設けているが、ポンプの振動が大きい場合には２重防振が必要でコストアップの要因となっている。さらに、最近ではレイアウトの簡易化及びコストダウン等の方向から部品点数の削減が望まれている。  
本発明は上述の問題点を解決し、部品点数を削減しつつ長時間の運転時においても安定して振動する補機を支持することが可能な補機取付構造の提供を目的とする。
【課題を解決するための手段】
【０００５】
請求項１記載の発明は、走行用のモータと、前記モータに接続されると共に緩衝部材を介して車両構造体に支持されたトランスアクスルと、振動を伴って作動する補機と、前記モータを取り付ける第１の取付部と、前記補機を取り付ける第２の取付部とを具備すると共に緩衝部材を介して前記車両構造体に支持されたブラケットとを有することを特徴とする。
【０００６】
請求項２記載の発明は、請求項１記載の補機取付構造において、さらに前記補機と前記モータとは、前記ブラケットを介して離間して配置されることを特徴とする。
【０００７】
請求項３記載の発明は、請求項１または２記載の補機取付構造において、さらに前記ブラケットは前記車両構造体に支持される支持部と第１の取付部と第２の取付部とが互いに直交する板部材により構成されることを特徴とする。
【０００８】
請求項４記載の発明は、請求項３記載の補機取付構造において、さらに前記補機は前記各板部材に囲まれて配置されることを特徴とする。
【０００９】
請求項５記載の発明は、請求項１から４までの何れか１項に記載の補機取付構造において、さらに前記モータは前記補機と前記トランスアクスルとの間に配置されていることを特徴とする。
【００１０】
請求項６記載の発明は、請求項１から５までの何れか１項に記載の補機取付構造において、さらに前記車両構造体はサイドメンバに弾性支持されたモータマウントであることを特徴とする。
【００１１】
請求項７記載の発明は、請求項１から６までの何れか１項に記載の補機取付構造において、さらに前記補機は前記モータを冷却する冷媒を循環させる冷却ポンプであることを特徴とする。
【発明の効果】
【００１２】
本発明によれば、モータと冷却ポンプとの間に設けられていた緩衝部材を省略することができると共に冷却ポンプを安定して支持することができ、部品点数を削減しつつ長時間の運転時においても安定して冷却ポンプを支持することが可能な冷却ポンプの支持構造を提供することができる。
【図面の簡単な説明】
【００１３】
【図１】本発明の一実施形態を適用した冷却ポンプ取付構造の概略図である。
【図２】本発明の一実施形態を適用した冷却ポンプ取付構造の斜視図である。
【図３】本発明の一実施形態の変形例を適用した冷却ポンプ取付構造の概略図である。
【発明を実施するための形態】
【００１４】
図１は、本発明の一実施形態を適用した車両の主駆動モータ周辺における概略図である。同図において符号１は走行用の主駆動モータを示しており、主駆動モータ１の車幅方向側方にはトランスミッションにディファレンシャルギヤが組み込まれたトランスアクスル２が接続されている。トランスアクスル２は、その車両前後方向の両端部を、緩衝部材であるゴムブッシュ３を介して図示しないサイドメンバ等の剛性部材に固定された車両構造体としてのモータマウント４，５に支持されている。なお、トランスアクスル２はクロスメンバに支持されていてもよい。
【００１５】
主駆動モータ１の、トランスアクスル２が接続された側とは反対側の車幅方向側方には、ブラケット６が配設されている。少なくとも２面の起立面を有するブラケット６は、図２に示すようにその一方の起立面である第１の取付部６ａを主駆動モータ１に固定されており、ゴムブッシュ３を介して支持部６ｂをモータマウント５に支持されている。そしてブラケット６の第２の取付部６ｃには、振動を伴って作動する補機としての冷却ポンプ７が取り付けられている。
【００１６】
上述の構成により、主駆動モータ１と冷却ポンプ７との間に設けられていたゴムブッシュを省略することができると共に冷却ポンプ７を安定して支持することができ、部品点数を削減しつつ長時間の運転時においても安定して冷却ポンプ７を支持することが可能な冷却ポンプの支持構造を提供することができる。
【００１７】
上述した実施形態では、冷却ポンプ７と主駆動モータ１とがブラケット６を介して離間して配置されている。これにより、冷却ポンプ７と主駆動モータ１とが接した状態で固定されている場合に比して、冷却ポンプ７の作動時における振動が主駆動モータ１に伝播しないので、振動に起因する主駆動モータ１の不具合発生を防止することができる。
【００１８】
また上述の構成では、モータマウント５に支持される支持部６ｂと第１の取付部６ａと第２の取付部６ｃとが互いに直交する板部材によって構成されているので、取付性を向上することができる。また、冷却ポンプ７がブラケット６を構成する各板部材に囲まれて配置されているので、冷却ポンプ７が安定して固定されると共にコンパクトな配置を達成することができる。
【００１９】
また、主駆動モータ１が冷却ポンプ７とトランスアクスル２との間に配置されているので、冷却ポンプ７の作動時における振動がトランスアクスル２に伝播せず、振動に起因するトランスアクスル２の不具合発生を防止することができる。また上述の構成では、モータマウント５が図示しないサイドメンバに弾性支持されているので、主駆動モータ１が二重防振されるため振動をさらに抑制することができる。
【００２０】
また上述の構成では、冷却ポンプ７が主駆動モータ１の近傍に配置されているので、冷却配管が短縮できコンパクトな構成を達成することができる。また、上記実施形態では補機として冷却ポンプ７を示したが、振動を伴って作動する補機としてはこれに限られず、例えばバキュームポンプ等であってもよい。
【００２１】
図３は、本発明の一実施形態の変形例を示している。この変形例は、上述した実施形態と比較すると、ブラケット６における冷却ポンプ７の固定位置が異なっている点においてのみ相違しており、他の構成は同一である。この変形例では、主駆動モータ１と冷却ポンプ７とが、車幅方向においてオーバーラップして配置されている。この構成によれば、車幅方向のレイアウトが制限されている場合においても上記実施形態と同様の作用効果を得ることができる。
【００２２】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。本発明の実施の形態に記載された効果は本発明から生じる最も好適な効果を列挙したに過ぎず、本発明による効果は本発明の実施の形態に記載されたものに限定されるものではない。
【符号の説明】
【００２３】
１  モータ（主駆動モータ）
２  トランスアクスル
３  緩衝部材（ゴムブッシュ）
４，５  車両構造体（モータマウント）
６  ブラケット
６ａ  第１の取付部
６ｂ  支持部
６ｃ  第２の取付部
７  補機（冷却ポンプ）
【図１】
2015182658.tif 000003
【図２】
2015182658.tif 000004
【図３】
2015182658.tif 000005